(57)【要約】【課題】  ＨＤＤと光ディスクとを搭載した撮像装置において、光ディスクのディスクカバーを開閉することによるＨＤＤにかかる振動への配慮が求められる。【解決手段】  着脱可能な記録媒体に情報を記録するための第１の記録装置（光ディスクドライブ）と、内蔵された記録媒体に情報を記録する第２の記録装置（ＨＤＤ）とを備えた撮像装置において、第１の記録装置には記録媒体を取り出すために開閉する蓋部と、蓋部の開閉のための蓋開閉手段とが設けられており、第２の記録装置のアクセス中は、前記蓋開閉手段による前記蓋部の開動作を禁止する。【選択図】  図４
2008027483.tif 000002
【特許請求の範囲】
【請求項１】
撮像部と第１の記録媒体に情報を記録する第１の記録部と第２の記録媒体に情報を記録する第２の記録部とを有する撮像装置であって、
前記第２の記録部が前記第２の記録媒体にアクセス中は、前記第１の記録媒体の取り出しを禁止する取り出し監視部を有する撮像装置。
【請求項２】
請求項１の撮像装置であって、
前記第１の記録部は前記第１の記録媒体を取り出すときに開く蓋部を有し、
前記取り出し監視部は、前記蓋部が開くことを禁止することで前記第１の記録媒体の取り出しを禁止する撮像装置。
【請求項３】
請求項２の撮像装置であって、
前記第２の記録部は前記蓋部に配置されている撮像装置。
【請求項４】
請求項１から３の撮像装置であって、
前記取り出し監視部は、操作部でユーザーからの記録媒体の取り出し指示を無視することで記録媒体の取り出しを禁止する撮像装置。
【請求項５】
請求項１から４の撮像装置であって、
前記アクセス中とは、操作部でユーザーの記録開始指示を受けてから記録停止指示を受けるまでの期間である撮像装置。
【請求項６】
請求項１から５の撮像装置であって、
前記取り出し監視部は、記録媒体の取り出しを禁止するとき、表示部にメッセージを表示する撮像装置。
【請求項７】
請求項１から６の撮像装置であって、
前記第２の記録部は、ハードディスクドライブである撮像装置。
【請求項８】
第１の記録媒体に情報を読み書きする第１の記録部と第２の記録媒体に情報を読み書きする第２の記録部とを有する装置の制御方法であって、
前記第２の記録媒体から前記第１の記録媒体への情報のダビングモードのとき、前記第２の記録部が前記第２の記録媒体にアクセス中は、前記第１の記録媒体の取り出しを禁止し、前記第２の記録部が前記第２の記録媒体に非アクセス中は前記第１の記録媒体の取り出しを許可し、
前記第２の記録媒体から前記第１の記録媒体への情報のダビングモードでないとき、前記第１の記録媒体の取り出しを禁止する制御方法。
【請求項９】
請求項８の制御方法であって、
情報を前記第２の記録部に記録する記録モードのとき、前記第１の記録媒体の取り出しを禁止する。
【請求項１０】
請求項８又は９の制御方法であって、
前記アクセス中は、ダビングモードにおいてダビング開始してから当該開始したダビングの完了までの期間である。
【請求項１１】
第１の記録媒体に情報を読み書きする第１の記録部と、
第２の記録媒体に情報を読み書きする第２の記録部と、
前記第２の記録媒体から前記第１の記録媒体への情報のダビングモードのとき、前記第２の記録部が前記第２の記録媒体にアクセス中は、前記第１の記録媒体の取り出しを禁止し、且つ、前記第２の記録部が前記第２の記録媒体に非アクセス中は前記第１の記録媒体の取り出しを許可し、
前記第２の記録媒体から前記第１の記録媒体への情報のダビングモードでないとき、前記第１の記録媒体の取り出しを禁止する制御部とを有する記録装置。
【請求項１２】
第１の記録媒体に情報を読み書きする第１の記録部と第２の記録媒体に情報を読み書きする第２の記録部とを有する装置の制御方法であって、
前記第２の記録部が前記第２の記録媒体にアクセス中、前記第２の記録媒体に情報を記録しているとき、前記第１の記録媒体の取り出しを禁止し、
前記第２の記録部が前記第２の記録媒体にアクセス中、前記第２の記録媒体から情報を再生しているとき、前記第１の記録媒体の取り出しを許可する制御方法。
【請求項１３】
請求項１２の制御方法であって、
前記第１の記録媒体の取り出しを許可するとき、前記第２の記録媒体からの情報の再生を停止する制御方法。
【請求項１４】
請求項１２の制御方法であって、
前記第１の記録媒体の取り出しを許可するとき、前記第１の記録媒体を取り出してよいかの確認メッセージを出力する制御方法。
【発明の詳細な説明】
【技術分野】
【０００１】
技術分野は、撮像装置等の記録装置及びその制御方法に係り、特にハードディスク等の記録媒体を振動から保護し、破壊を防ぐ技術に関する。
【背景技術】
【０００２】
ビデオカメラ等の撮像装置は動画、静止画の両方を撮影でき、動画、静止画のそれぞれに適した記録部があるため、１台の撮像装置の中に複数の記録部を持つというタイプのものが普及している。
【０００３】
このタイプの撮像装置の従来技術として特開２００４−１９３６７８号公報（特許文献１）記載の技術がある。この公報において、課題として「操作性に優れるとともに低消費電力の撮像装置を提供する。」と記載され、その解決手段として「複数の撮影モードを有し、撮影モードに対する異なる種類の着脱可能な記録媒体を持つ。撮影モードに応じて、一方の記録媒体の着脱動作を禁止する。一方の記録媒体１００９が他方の記録媒体１０２０を覆うカバーに収納配置される。一方の記録媒１００９の着脱動作を禁止することで、操作性に優れるとともに、収納部等の無駄な動きをなくすることにより低消費電力を抑えることができる。」と記載されている。
【０００４】
【特許文献１】特開２００４−１９３６７８号公報
【発明の開示】
【発明が解決しようとする課題】
【０００５】
近年、記録媒体も様々な種類のものが普及しており、中にはＨＤＤ（Hard Disk Drive）のような振動に対して比較的弱いものもある。ＨＤＤはアクセスしていない時にはヘッドをディスク上以外のヘッド専用の待避場所に保持し、記録や再生動作等のためにアクセスする時にだけヘッドをディスク上に移動させる。アクセス中はヘッドはディスク上にディスク表面から数十ナノメートルというわずかな距離を保った状態で保持される。そのため、アクセス中に振動が加わるとヘッドとディスクとが接触しやすく、誤動作の原因となる。つまり、ＨＤＤはアクセス中の振動に弱い構成をしている。そのため、ビデオカメラのような携帯型の撮像装置の場合には振動や衝撃に対する配慮が必要である。
【０００６】
一方、ＨＤＤを内蔵した撮像装置の場合、ハードディスクに記録した映像データを光ディスクに簡単に移動または複写（ダビング）することが注目されてきている。そのため、ＨＤＤとＤＶＤ（Digital Versatile Disc）ドライブの両方を持つ撮像装置が望まれている。このように２つのドライブを持ったビデオカメラのような携帯型の撮像装置の場合にも小型化のための配慮が必要である。そのため、ＤＶＤを取り出すために開閉する蓋の部分（以下ディスクカバーと記述する）にＨＤＤを内蔵した場合には、特にディスクカバーの開閉によるＨＤＤにかかる振動への配慮が必要となる。
【０００７】
しかしながら、上記特許文献１記載の従来技術を用いた場合、他の記録媒体であるＤＶＤを覆うカバーであるディスクカバーを開けてもＤＶＤを取り出せないようにしているが、ＨＤＤにアクセス中でもディスクカバーをユーザーが開けることは可能である。そのため、蓋部であるディスクカバーが開くことによってＨＤＤへ振動が加わり、その振動によってＨＤＤへのアクセスの誤動作のみならず、ＨＤＤそのものの破壊にまで至る場合があるという問題があった。
【課題を解決するための手段】
【０００８】
そこで例えば、第１の記録装置と第２の記録装置を備えた撮像装置において、第１の記録装置がアクセス中は第２の記録装置の開動作を禁止することで開動作の振動等による第１の記録装置の誤動作や破壊を防ぐことができる撮像装置を提供する。
【発明の効果】
【０００９】
上記手段によれば例えば、ユーザーが安心できる。
【発明を実施するための最良の形態】
【００１０】
以下、本発明の実施に好適な一実施形態を説明する。
【実施例１】
【００１１】
本実施例の撮像装置の一例として、ビデオカメラの外観例を図２、図３を用いて説明する。なお、撮像装置としては、ビデオカメラ以外にデジタルスチルカメラ等であってもよい。また、撮像装置以外にも記録装置にも適する。
【００１２】
図２は撮像装置の前方斜視図を、図３は撮像装置の後方斜視図を示す。
【００１３】
２０１は光学レンズ、ＣＣＤ等の撮像素子からなるレンズブロック、２０２はＤＶＤを着脱するために開閉する蓋部であるディスクカバー、２０３は操作ボタン、２０４は液晶パネルによる表示部が収納されているＬＣＤ部（ただしＬＣＤに限定されず例えば有機ＥＬディスプレイであってもよい。総称して側面表示部ともいう）、２０５はダビングボタンを示す。また、図２ではＬＣＤ部２０４に隠れて見えないが、メモリカードを挿入するためのメモリカードスロットが内側に配置されている。また、３０１はハードディスクを覆うカバーとなるＨＤＤカバー、３０２は第２の記録装置であるＨＤＤ、３０３はＨＤＤモードとＤＶＤモード等のモード選択や電源入切のためのモード選択スイッチ、３０４はディスクカバー２０２を開ける際に押すイジェクトボタン、３０５はＤＶＤドライブまたはＨＤＤ３０２がアクセス中に点灯するアクセスランプを示す。また、図３では見えないが、ディスクカバー２０２の内側に第１の記録装置となるＤＶＤドライブが配置されている。
【００１４】
モード選択スイッチ３０３によってＨＤＤモードに設定されているときにダビングボタン２０５を押すと、ダビングモードとなり、ＨＤＤ３０２からＤＶＤドライブへダビング動作を行うことができる。また、モード選択スイッチ３０３は、動画を撮影する際はＨＤＤモードまたはＤＶＤモードを選択し、静止画を撮影する際はメモリカードモードを選択する。また、電源を切る際には電源ＯＦＦを選択する。
【００１５】
ここで、ダビングモード時などにＨＤＤ３０２がアクセス中のときはアクセスランプ３０５が点灯している。このように、ＨＤＤ３０２がアクセス中の間はアクセスランプ３０５が点灯しているため、ユーザーがアクセスランプ３０５を見てＨＤＤ３０２がアクセス中であるのでディスクカバー３０１が開かないことに気付くようにしている。また、イジェクトボタン３０４とアクセスランプ３０５が図３に示すように近い位置にあるため、ＨＤＤ３０２がアクセス中であるかどうかをユーザーがより気付きやすい構造としている。
【００１６】
次に、本実施例の撮像装置の動作及び信号の流れの概要を説明する。
【００１７】
図１は、本実施例の撮像装置の構成例を示すブロック図を示す。
【００１８】
１００は撮影した動画や静止画をデータ処理し圧縮した後にデジタル記録する撮像装置（例えばビデオカメラ）である。１０１はレンズ、撮像素子（ＣＣＤ（Charge-Coupled Device）やＣＭＯＳ（Complementary Metal Oxide Semiconductor））、画像処理回路を備えた撮像部（図２の２０１に相当）であり、被写体からの光学像から所定の映像信号を生成する。１０２は、撮像部１０１で生成され、送られてきた映像信号をデジタル化し、圧縮符号化して画像データとしたり、記録媒体からの再生信号の復号化を行うデータ処理部である。１０３はデータ処理部１０２からの圧縮符号化された画像データを一時的に保持しておくメモリである。１０４は、メモリ１０３から送られてきた画像データを記録媒体である光ディスクへ記録したり、挿入された光ディスクから再生信号を読み取る第１の記録装置である光ディスクドライブであり、１０５は、画像データを記録するための着脱可能な記録媒体（光ディスク）である。光ディスクには、ＤＶＤ、ＢＤ（Blu-ray Disc）、ＨＤ−ＤＶＤ（High Definition DVD）があり、本実施例ではＤＶＤを例示して説明する。１０６は、ビデオカメラ１００全体を制御する制御部である。１０７は、撮像部１０１にて撮像された映像や、ＤＶＤドライブ１０４にて再生された映像、およびユーザーの操作ガイド等の各種情報を表示する表示部である（図２の２０４に相当、ただしＬＣＤ部以外にファインダー部も含む）。１０８は、ユーザーの指示を入力するための操作部である。操作部はタッチパネルであってもよい。１０９は、メモリ１０３から送られてきた画像データを内蔵されたハードディスクへ記録したり、ハードディスクから再生信号を読み取る第２の記録装置であるＨＤＤである（図３の３０２に相当）。１１０は、ＤＶＤドライブ１０４からＤＶＤ１０５を着脱するために開閉する蓋部であるを開けるためのイジェクトボタン（図３の３０４に相当）であり、操作部１０８に含まれる。１１１は、ディスクカバー（図３の２０２）を開けるための蓋開閉手段であるディスクカバー開閉機構である。１１２は、ＨＤＤ１０９にてハードディスクに記録した映像の画像データをメモリ１０３を介して、ＤＶＤドライブ１０４によってＤＶＤ１０５にダビングする際に押すダビングボタン（図３の２０５に相当）であり、操作部１０８に含まれる。１１３は、メモリ１０３から送られてきた画像データを記録媒体であるメモリカードへ記録したり、挿入されたメモリカードから再生信号を読み取るメモリカードスロットである。１１４は、画像データを記録するための着脱可能な記録媒体（メモリカード）である。
【００１９】
ユーザーは操作部１０８のモード選択スイッチによって、ＤＶＤモード、ＨＤＤモード、メモリカードモードを選択することができ、ＤＶＤモードが選択されているときは操作部１０８により記録のための操作がされると撮像部１０１によって撮影された映像の画像データはＤＶＤドライブ１０４によりＤＶＤ１０５へ記録され、また再生時にはＤＶＤドライブ１０４によりＤＶＤ１０５から読み出した映像の画像データが再生されるよう、制御部１０６によって制御される。ここで、ＤＶＤドライブ１０４のアクセス中とは、ＤＶＤディスクとの間でデータのやり取りを行っている状態をいう。ＤＶＤモード時に、ＤＶＤドライブ１０４がアクセス中でなければ、イジェクトボタン１１０を押すと制御部１０６によってイジェクト命令が発行され、ディスクカバー開閉機構１１１が動作し、ディスクカバーが開いてＤＶＤ１０５の着脱を行うことができる。撮像部１０１で撮影された映像情報やマイクで取得された音声情報は、一時的にメモリ１０３に保存され、或る程度の情報量が溜まってから間欠的にＤＶＤに記録されると省電力化がはかれる。
【００２０】
ＨＤＤモードが選択されているときは、操作部１０８により記録のための操作（例えば撮影ボタンの押下）がされるとアクセス中となり撮像部１０１によって撮影された映像の画像データはＨＤＤ１０９内のハードディスクへ記録され、また操作部１０８により再生のための操作がされるとアクセス中となりＨＤＤ１０９内のハードディスクから読み出した映像の画像データが再生されるよう、制御部１０６によって制御される。
【００２１】
ここで、ＨＤＤにアクセス中にはイジェクトボタン１１０を押しても、制御部１０６はイジェクト命令を発行せず、ディスクカバー開閉機構１１１が動作しないため、ディスクカバーは開かない。ＨＤＤ１０９の記録動作時及び再生動作時には、ヘッドがハードディスク上以外のヘッド専用の待避場所から、ハードディスク上へと移動して記録または再生をするようになっている。本実施例でＨＤＤ１０９のアクセス中とは、狭義ではヘッドがヘッド専用の待避場所にない状態をいう。
【００２２】
ただし、撮像部１０１で撮影された映像情報やマイクで取得された音声情報は、一時的にメモリ１０３に保存され、或る程度の情報量（例えばバッファ容量等によって決まる）が溜まってから間欠的にＨＤＤ１０９で記録するようにすると省電力化がはかれる。また、再生時にもＨＤＤ１０９から或る程度の情報量をメモリ１０３に一時的に保存しておいて再生させ、ハードディスクドライブからは間欠的に読み取るようにしても省電力化がはかれる。これらの場合、間欠的に記録又は再生していないときにはＨＤＤのヘッドをヘッド専用の待避場所に退避すると記録装置の耐衝撃性が向上して好ましい。
【００２３】
このように撮像部１０１などから情報が記録されているがヘッドが待避している場合（間欠記録中でヘッドが待避している状態）の処理には二通りが考えられる。一つは、ヘッドが待避しているのでディスクカバーが開くことを許可することである。しかし、この場合にはディスクカバーが開いている間にも入力される映像や音声を情報をメモリ１０３に蓄積することが求められる。もう一つは、ヘッドが待避していてもアクセス中とみなして、ディスクカバーが開くことを禁止する。この場合を鑑み、本実施例でＨＤＤ１０９のアクセス中とは、広義ではＨＤＤ１０９のヘッドが待避場所にない状態だけでなく、ＨＤＤ１０９に対する間欠記録中や間欠再生中も含むものとし、特に断らない限りはアクセス中とは広義の意味であるとする。なお、間欠記録中とは、ユーザーの記録開始指示（例えば撮影指示）を受けて、メモリ１０３に情報が蓄積され所定のタイミング又は容量によってＨＤＤ１０９に情報を記録させる一連の動作中を示す。例えばユーザーの記録停止指示を受けると間欠記録中を脱する。間欠再生中とは、ユーザーの再生開始指示やダビング開始指示を受けて、ＨＤＤ１０９からメモリ１０３に所定のタイミング又は容量毎に情報が蓄積される一連の動作中を示す。
【００２４】
ＨＤＤ１０９内のハードディスクに記録された映像の画像データをＤＶＤドライブ１０４によりＤＶＤ１０５へダビングすることも可能であり、ＨＤＤモード時にユーザーによって操作部１０８でダビングボタン１１２が押されると、ダビングモードとなり、ＨＤＤ１０９内のハードディスクに記録された映像の画像データを読み出し、ＤＶＤドライブ１０４によってＤＶＤ１０５へ記録するよう、制御部１０６によって制御される。ダビングモード時には、ＨＤＤへのアクセス中（狭義と広義のどちらでも）でなければ、イジェクトボタン１１０を押すと制御部１０６によってイジェクト命令が発行され、ディスクカバー開閉機構１１１が動作し、ディスクカバーが開く。しかし、ＨＤＤへアクセス中であればイジェクトボタン１１０を押しても制御部１０６はイジェクト命令を発行せず、ディスクカバー開閉機構１１１が動作しないため、ディスクカバーは開かないため、ディスクカバーが開くことによるＨＤＤ１０９への振動がＨＤＤ１０９がアクセス中の際に加わらず、ＨＤＤ１０９の誤動作およびディスクやデータの破壊を防ぐことができる。
【００２５】
本実施例の撮像装置のディスクカバー開閉についてさらに図４、図５を用いて説明する。
【００２６】
図４は撮像装置のディスクカバーが閉じた状態の断面例を、図５は撮像装置のディスクカバーが開いた状態の断面例を示す。図４と図５は、撮影方向と鉛直な面で切断した断面を撮影方向から見た様子を示している。言い換えると、図３の左上から右下で切ったものを図３の左下から右上の方向へ見た様子を示している。
【００２７】
４０１はＤＶＤドライブ、４０２はディスクカバー２０２を開けるためのディスクカバー開閉機構を構成しているディスクカバー２０２をロックするためのツメを示す。尚、本実施例のディスクカバー開閉機構（図１の１１１に相当）は、ツメ４０２、ツメ４０２に係合してディスクカバー２０２をロックするためのＤＶＤドライブ４０１のロック部（図示せず）、ツメ４０２とロック部との係合を外すためのローディングモータ（図示せず）から構成されている。
【００２８】
モード選択スイッチ３０３によってＤＶＤモードに設定されており、ＤＶＤドライブ４０１がアクセス中でなければユーザーがイジェクトボタン３０４を押すと図５に示すようにディスクカバー２０２が開き、ＤＶＤ１０５の着脱を行うことができる。また、モード選択スイッチ３０３によってＨＤＤモードに設定されている間にダビングボタン２０５を押すとダビングモードとなり、ＨＤＤ３０２がアクセス中でなければユーザーがイジェクトボタン３０４を押すと図５に示すようにディスクカバー２０２が開き、ＤＶＤ１０５の着脱を行うことができる。図５では、開いたときに光ディスクの中心穴を通すボス４０３が露出している。
【００２９】
ここで、ディスクカバー２０２が開く仕組みを説明する。ディスクカバー２０２が閉じている状態では、ツメ４０２はＤＶＤドライブ４０１のロック部に係合している。ユーザーがイジェクトボタン３０４を押すとディスクカバー開閉機構１１１を構成するローディングモータによりツメ４０２がＤＶＤドライブ４０１のロック部から外れるように動作し、図５に示すようにディスクカバー２０２が開く。ディスクカバー２０２は所定の位置まで自然に開いて止まる。その際、ＨＤＤ３０２に振動が加わってしまう。そのため、ＨＤＤ３０２がアクセス中であればユーザーがイジェクトボタン３０４を押してもディスクカバー２０２は開かないようにすることで、ＨＤＤ３０２に振動が加わらないようにすることで、ＨＤＤ３０２がアクセス中にディスクカバー２０２が開くことによる振動が加わることによるＨＤＤ３０２の誤動作、破壊を防ぐことができる。ディスクカバーの開閉を検出するセンサやスイッチ、又はイジェクトボタン３０４の押下を検出するソフトウェアなど（総称して蓋開閉検出部ともいう）によりディスクカバーの開閉を検出する。
【００３０】
次に、本実施例の撮像装置のイジェクトボタン操作時の処理の流れを説明する。
【００３１】
図６は、実施例１における、撮像装置のイジェクトボタンが操作されたときの処理例を示すフローチャートを示す。
【００３２】
ステップ６０１においてユーザーがイジェクトボタン３０４を押すと、ステップ６０２へ進み、ステップ６０２において現在のモードがＨＤＤモード、ＤＶＤモード、カードモード、あるいは電源がＯＦＦであるかを判断する。ＨＤＤモードであれば、ステップ６０４へ進み、ＤＶＤモードであればステップ６０３へ進み、カードモード及び電源ＯＦＦであればステップ６０７へ進み、ユーザーからのイジェクト命令が受け付けられ、ディスクカバー開閉機構１１１を構成するローディングモータがツメ４０２を外すよう動作し、ディスクカバー２０２が開いてＤＶＤ１０５の着脱を行うことができる。
【００３３】
ステップ６０３においてＤＶＤドライブ１０４がアクセス中かどうかを判断する。ＤＶＤドライブ１０４がアクセス中であれば、ステップ６０６へ進みユーザーからのイジェクト命令を無視してイジェクト処理を終了する。ＤＶＤドライブ１０４がアクセス中でなければ、ステップ６０７へ進みユーザーからのイジェクト命令が受け付けられ、ディスクカバー開閉機構１１１を構成するローディングモータがツメ４０２を外すよう動作し、ディスクカバー２０２が開いてＤＶＤ１０５の着脱を行うことができる。
【００３４】
ステップ６０４において、現在ダビングモードであるかどうかを判断する。ダビングモードであれば、ステップ６０５へ進み、ダビングモードでなければステップ６０６へ進みユーザーからのイジェクト命令を無視してイジェクト処理を終了する。また、無視するのではなく、表示部１０７にディスクカバーを開けられません、とのメッセージを表示させるとなおよい。
【００３５】
ステップ６０５において、現在ＨＤＤ３０２がアクセス中であるかどうかを判断する。ＨＤＤ３０２がアクセス中であれば、ステップ６０６へ進み、ユーザーからのイジェクト命令を無視してイジェクト処理を終了する。ＨＤＤ３０２へアクセス中でなければステップ６０７へ進み、ユーザーからのイジェクト命令が受け付けられ、ディスクカバー開閉機構１１１を構成するローディングモータがツメ４０２を外すよう動作し、ディスクカバー２０２が開いてＤＶＤ１０５の着脱を行うことができる。
【００３６】
なお、ダビングモードのときに特別にディスクカバーを開けることを許可している理由は、ＨＤＤへの撮影や再生とは異なりダビングではＤＶＤも利用することとなるため、例えばＤＶＤの容量が足りないため交換したいなどのディスクカバーを開けるニーズが、ダビング処理中に生じるためである。また、ダビングモードにおいてアクセスしていないときとは、例えばＨＤＤに記録されているデータのサムネイル一覧と、ＤＶＤの空き容量とを表示してダビング開始指示を待っている状態である。ＤＶＤの空き容量が足りなければ、ディスク交換するニーズがある。
【００３７】
このように、ＨＤＤ３０３がアクセス中の場合はディスクカバー２０２が開かないようになっているので、ＨＤＤ３０３がアクセス中にディスクカバー２０２の開動作による振動がＨＤＤ３０３に加わることがなくなり、ＨＤＤ３０３の誤動作、破壊を防ぐことができる。また、ユーザーが誤ってイジェクトボタン１１０を押してしまった場合にも事故を防ぐことができる。
【００３８】
なお、本実施例の撮像装置では記録装置は第１の記録装置となるＤＶＤドライブと第２の記録装置となるＨＤＤの２つであるが、第１及び第２の記録装置としてそれぞれに複数の記録装置を持っても構わない。また光ディスクドライブとＨＤＤとの組み合わせに限定されない。
【００３９】
また、ＨＤＤの配置位置はディスクカバー部が好適である。なぜなら、発熱の大きな本体側からの熱を、発熱の小さなハードディスクドライブ側に伝えにくくし、ハードディスクドライブ側の温度上昇を本体側の内部空間より低く抑える効果があるため。また、光ディスクは本体側の基板等の発熱部からの熱で片面が温度上昇するが、反対面側も発熱するハードディスクドライブの熱により温度上昇するので、光ディスクの両面の温度差を小さくでき、光ディスクの表裏の温度差によって光ディスクが反ってしまうという問題を解決することもできるため。また、ハードディスクドライブをグリップ側に配置することで、ＬＣＤ側に掛かっていたカメラの重心が、グリップ側に寄ることで、ユーザはビデオカメラの保持がしやすく、扱いやすくなる効果があるため。また、ハードディスクドライブをグリップ側に配置することで、ハードディスクカバーに膨らみ形状ができ、ユーザの手にフィットすることで、保持がしやすく、録画時の手ぶれ補正の効果があるため（特願２００６−１６２９６４号参照）。
【００４０】
しかし、それ以外の可動部にＨＤＤを配置した場合にはＨＤＤがアクセス中の該可動部の動作を禁止する構成としてもよい。また、ＨＤＤの配置位置が非可動部であっても、可動部の衝撃が加わる可能性があるため、ＨＤＤがアクセス中であればディスクカバー等の可動部の動作を禁止する構成としてもよい。特に、スライド型やスロットイン型ではなく図４及び図５で示した開閉型のディスクカバーでは衝撃が大きいため、本発明が有効である。開閉型のディスクカバーとは、開いたときに光ディスクの中心穴を通すボス４０３が露出する形式のディスクカバーとする。
【実施例２】
【００４１】
実施例１ではＨＤＤモード時はダビングモード時でなければイジェクトボタン１１０を押しても、制御部１０６はイジェクト命令を発行せず、ディスクカバー開閉機構１１１が動作しないため、ディスクカバーは開かないとした。ＨＤＤモードでもＨＤＤ１０９がアクセス中でなければ、イジェクトボタン１１０を押すと制御部１０６はイジェクト命令を発行し、ディスクカバー開閉機構１１１が動作し、ディスクカバーが開くようにしてもよい。この場合には図６のステップ６０４を省略する。実施例２によれば、操作部１０８のモード選択スイッチによってＨＤＤモードになっていても、ユーザーは操作部１０８のモード選択スイッチを切り替えることなくＤＶＤ１０５の着脱を行うことができるため、操作性に優れる。
【００４２】
なお、ディスクカバーを開いた後、ディスクカバーを開いているときには、ＨＤＤへの再生、撮影、ダビング指示は受け付けない。ディスクカバーが閉められるときに衝撃が加わるためである。ディスクカバーが開かれているときに、ＨＤＤへの再生、撮影、ダビング指示を受けると、ディスクカバーを閉めるよう表示部１０７に注意メッセージを表示してもよい。長時間ディスクカバーが開けられている場合には、ディスクカバーを閉めるよう表示部１０７に注意メッセージを表示してもよい。
【実施例３】
【００４３】
実施例２ではアクセス中だと、ディスクカバーを動作させないとした。しかし、シャッタータイミングを逃せない撮影時とは異なり、ＨＤＤのデータの再生時には再生を停止してＨＤＤのヘッドを一時待避させても、後から再生できるので、ディスクカバーを開けることを許可してもよい場合がある。
【００４４】
図７は、実施例３における、イジェクトボタンが操作されたときの処理例を示すフローチャートである。図６と同じステップには同じ番号を付し、説明を省略する。
【００４５】
ステップ６０２でＨＤＤモードだった場合、実施例２と同様に図６のステップ６０４を省略してステップ６０５に進む。ここで、ＨＤＤモードで撮影されているときにはステップ６０６によりディスクカバーを開かない。一方、ＨＤＤモードで再生されているときにはステップ８０２に進み、ＨＤＤ１０９へのアクセスを停止（間欠再生を停止）してヘッドを待避させる。このとき、ＤＶＤのイジェクトが指示されたためＨＤＤの再生を一時停止することのメッセージを表示部１０７に表示させることが好ましい。また停止する前に、再生を一時停止してディスクカバーを開けてよいかの確認メッセージを出して確認を求めるとなおよい。ステップ８０２でアクセスが停止されると、ステップ６０７に進んでディスクカバー２０２を開く。
【００４６】
なお、ディスクカバーが再び閉じられたことを検出すると、再生（アクセス）を停止した箇所から再生を再開させる。
【００４７】
撮影時でも再生時でもなく、ダビング時にはＨＤＤからＤＶＤにデータをダビングしているため、ＤＶＤのディスクカバーを開けさせることは好ましくないが、ＨＤＤのイジェクトボタン１１０が押されると、ダビングを停止してもよいか、ディスクカバーを開けてもよいか等の確認メッセージを表示部１０７に表示してもよい。
【００４８】
この実施例３によれば、ＨＤＤで再生中やダビング中に、いちいちＨＤＤの再生を停止せずともＤＶＤの交換が可能となる。しかし、撮像装置特有の撮影中はシャッタータイミングを逃さないよう、イジェクトボタン１１０が押されても撮影を一時停止させないことができる。
【００４９】
以上、ハードディスクドライブと光ディスクドライブとの組み合わせについて説明した。本発明は、衝撃に強くなく可動部に設置されるハードディスクに特に好適であるが、組合せはこれに限定されない。例えば、半導体メモリと光ディスク、半導体メモリとハードディスク、半導体メモリと半導体メモリ、ハードディスクとハードディスクにも適用できる。また、ハードディスクはiVDRなどのように取り外し可能なものであってもよい。
【図面の簡単な説明】
【００５０】
【図１】撮像装置の構成例のブロック図
【図２】撮像装置の外観例の前方斜視図
【図３】撮像装置の外観例の後方斜視図
【図４】撮像装置のディスクカバーが閉じた状態例の断面図
【図５】撮像装置のディスクカバーが開いた状態例の断面図
【図６】撮像装置のイジェクトボタン操作時の処理例のフロー図（１）
【図７】撮像装置のイジェクトボタン操作時の処理例のフロー図（２）
【符号の説明】
【００５１】
１００…撮像装置、１０１…撮像部、１０２…データ処理部、１０３…メモリ、１０４…ＤＶＤドライブ、１０５…記録媒体（ＤＶＤ）、１０６…制御部、１０７…表示部、１０８…操作部、１０９…ＨＤＤ、１１０…イジェクトボタン、１１１…イジェクトモータ、１１２…ダビングボタン、１１３…メモリカードスロット、１１４…記録媒体（メモリカード）、２０１…レンズブロック、２０２…ディスクカバー、２０３…操作ボタン、２０４…ＬＣＤ部、２０５…ダビングボタン、３０１…ＨＤＤカバー、３０２…ＨＤＤ、３０３…モード選択スイッチ、３０４…イジェクトボタン、３０５…アクセスランプ、４０１…ＤＶＤドライブ、４０２…ツメ
【図１】
2008027483.tif 000003
【図２】
2008027483.tif 000004
【図３】
2008027483.tif 000005
【図４】
2008027483.tif 000006
【図５】
2008027483.tif 000007
【図６】
2008027483.tif 000008
【図７】
2008027483.tif 000009
【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
映像情報を撮影する撮像部と、
第１の記録媒体に情報を記録または前記第１の記録媒体から情報を再生する第１の記録再生部と、
前記第１の記録媒体とは異なる第２の記録媒体に情報を記録または前記第２の記録媒体に情報を記録する第２の記録再生部と、
前記第１及び第２の記録再生部を制御する制御部とを有する情報記録再生装置であって、
前記第１の記録媒体の取り出し指示があった場合、前記第１または第２の記録再生部が情報の記録または再生をしている場合は前記取り出しが禁止され、
前記第１の記録媒体の取り出し指示があった場合、前記第２の記録媒体から複数の前記第１の記録媒体へ情報をダビングしている期間であっても、前記第１の記録部が前記第１の記録媒体の情報を記録または再生することと、前記第２の記録部が前記第２の記録媒体の情報を記録または再生することが停止された後であれば、前記取り出しが許可されることを特徴とする情報記録再生装置。
【請求項２】
請求項１記載の情報記録再生装置であって、
前記第１の記録再生部は前記第１の記録媒体を取り出すときに開く蓋部を有し、
前記制御部は、前記蓋部が開くことを禁止することで前記第１の記録媒体の取り出しを禁止する情報記録再生装置。
【請求項３】
請求項２記載の情報記録再生装置であって、
前記第２の記録再生部は前記蓋部に配置されている情報記録再生装置。
【請求項４】
請求項１から３いずれか一項記載の情報記録再生装置であって、
前記制御部は、操作部でユーザーからの記録媒体の取り出し指示を無視することで記録媒体の取り出しを禁止する情報記録再生装置。
【請求項５】
請求項１から４いずれか一項記載の情報記録再生装置であって、
前記制御部は、記録媒体の取り出しを禁止するとき、表示部にメッセージを表示する情報記録再生装置。
【請求項６】
請求項１から５いずれか一項記載の情報記録再生装置であって、
前記第２の記録再生部は、ハードディスクドライブである情報記録再生装置。
【請求項７】
第１の記録媒体に情報を記録または前記第１の記録媒体から情報を再生する第１の記録再生部と、前記第１の記録媒体とは異なる第２の記録媒体に情報を記録または前記第２の記録媒体に情報を記録する第２の記録再生部とを有する装置の制御方法であって、
前記第１の記録媒体の取り出し指示があった場合、前記第１または第２の記録再生部が情報の記録または再生をしている場合は前記取り出しが禁止され、
前記第１の記録媒体の取り出し指示があった場合、前記第２の記録媒体から複数の前記第１の記録媒体へ情報をダビングしている期間であっても、前記第１の記録部が前記第１の記録媒体の情報を記録または再生することと、前記第２の記録部が前記第２の記録媒体の情報を記録または再生することが停止された後であれば、前記取り出しが許可されることを特徴とする制御方法。
【手続補正２】
【補正対象書類名】明細書
【補正対象項目名】０００８
【補正方法】変更
【補正の内容】
【０００８】
そこで、本発明では一例として、特許請求の範囲に記載された構成を提供する。具体的には、映像情報を撮影する撮像部と、第１の記録媒体に情報を記録または前記第１の記録媒体から情報を再生する第１の記録再生部と、前記第１の記録媒体とは異なる第２の記録媒体に情報を記録または前記第２の記録媒体に情報を記録する第２の記録再生部と、前記第１及び第２の記録再生部を制御する制御部とを有する情報記録再生装置であって、前記第１の記録媒体の取り出し指示があった場合、前記第１または第２の記録再生部が情報の記録または再生をしている場合は前記取り出しが禁止され、前記第１の記録媒体の取り出し指示があった場合、前記第２の記録媒体から複数の前記第１の記録媒体へ情報をダビングしている期間であっても、前記第１の記録部が前記第１の記録媒体の情報を記録または再生することと、前記第２の記録部が前記第２の記録媒体の情報を記録または再生することが停止された後であれば、前記取り出しが許可されることを特徴とする情報記録再生装置を用いる。また、第１の記録媒体に情報を記録または前記第１の記録媒体から情報を再生する第１の記録再生部と、前記第１の記録媒体とは異なる第２の記録媒体に情報を記録または前記第２の記録媒体に情報を記録する第２の記録再生部とを有する装置の制御方法であって、前記第１の記録媒体の取り出し指示があった場合、前記第１または第２の記録再生部が情報の記録または再生をしている場合は前記取り出しが禁止され、前記第１の記録媒体の取り出し指示があった場合、前記第２の記録媒体から複数の前記第１の記録媒体へ情報をダビングしている期間であっても、前記第１の記録部が前記第１の記録媒体の情報を記録または再生することと、前記第２の記録部が前記第２の記録媒体の情報を記録または再生することが停止された後であれば、前記取り出しが許可されることを特徴とする制御方法を用いる。
【手続補正３】
【補正対象書類名】明細書
【補正対象項目名】００４９
【補正方法】変更
【補正の内容】
【００４９】
以上、本発明の好適な実施形態として、第１の記録装置と第２の記録装置を備えた撮像装置において、第１の記録装置がアクセス中は第２の記録装置の開動作を禁止することで開動作の振動等による第１の記録装置の誤動作や破壊を防ぐことができる撮像装置に関し、ハードディスクドライブと光ディスクドライブとの組み合わせについて説明した。本発明は、衝撃に強くなく可動部に設置されるハードディスクに特に好適であるが、組合せはこれに限定されない。例えば、半導体メモリと光ディスク、半導体メモリとハードディスク、半導体メモリと半導体メモリ、ハードディスクとハードディスクにも適用できる。また、ハードディスクはiVDRなどのように取り外し可能なものであってもよい。